(57)【要約】【課題】本発明によれば、筐体に衝撃が加わったか否か容易に判断できることを目的とする。【解決手段】  第１および第２の側壁７ａ，７ｂからは第２の突出部２０，２１が突出している。第２突出部２０，２１は第１および第２の側壁と一体形成されている。この第２の突出部２０，２１は底壁７ｃから離間しており、ボス１０と第１および第２の側壁との間に梁状に設けられている。この構成において、電子機器１を誤って落下したとき、床面等に衝突したときの力は、第１、第２の側壁７ａ，７ｂから第２の突出部２０，２１へ伝わる。第２の突出部２０，２１へ伝達した力はボス１０へ伝わる。ボス１０からの反作用により第２の突出部２０，２１へさらに力が加わる。第２の突出部２０，２１は一端が折れたり、途中より折れ曲がり、落下衝突した履歴を判断することができる。【選択図】  図２
2006163964.tif 000002
【特許請求の範囲】
【請求項１】
壁部と、この第1の壁部に連なるとともに互いに連続する第１および第２の側壁と、を有する筐体と、
上記壁部に設けられる第1の突出部と、
上記第２または第３の側壁に設けられ、上記突出部方向に突出する第２の突出部と、
を具備することを特徴とする電子機器。
【請求項２】
上記第２の突出部は上記第１の突出部に当接していることを特徴とする請求項１記載の電子機器。
【請求項３】
上記第２の突出部は、上記第２または第３の側壁と上記第１の突出部とに亘って一体形成されることを特徴とする請求工記載の電子機器。
【請求項４】
上記第２の突出部は凹溝を有することを特徴とする請求項１記載の電子機器。
【請求項５】
上記第２の突出部は上記第２または第３の側壁と上記第１の突出部とに亘って一体形成されるとともに、切り欠きを有することを特徴とする請求項１記載の電子機器。
【発明の詳細な説明】
【技術分野】
【０００１】
本発明は、ノート型コンピュータ等の電子機器に係り、特に衝撃履歴がわかる電子機器用筐体に関する。
【背景技術】
【０００２】
近年のノート型コンピュータや携帯電話等の電子機器は落下、衝突等に対してある程度筐体の強度を上げており、故障した際、落下、衝突が原因であると判断するのが困難であり、筐体に衝撃履歴を記録する構造について提案されている。（特許文献１参照。）。
【特許文献１】特開２００３−５０２４７号公報（第１図）
【発明の開示】
【発明が解決しようとする課題】
【０００３】
しかし、文献１の構成においては構造が複雑で、製造製、コストの面で不利であった。
【０００４】
そこで、本発明はコスト、製造製の良好な、衝撃履歴構造を持った電子機器の提供を目的とする。
【課題を解決するための手段】
【０００５】
上記目的を達成するために、請求項１に係る発明では、壁部と、この第1の壁部に連なるとともに互いに連続する第１および第２の側壁と、を有する筐体と、上記壁部に設けられる第1の突出部と、上記第２または第３の側壁に設けられ、上記突出部方向に突出する第２の突出部と、を具備することを特徴とする。
【発明の効果】
【０００６】
本発明によれば、筐体に衝撃が加わったか否か容易に判断できるという効果を有する。
【発明を実施するための最良の形態】
【０００７】
以下本発明に係る実施の形態を、図面を参照して説明する。
【０００８】
図１は、電子機器の斜視図である。ノート型コンピュータ（以下電子機器）１は、本体２と、この本体２にヒンジ部３を介して回動可能に接続される表示部４とを有している。本体２は上ケース６とこの上ケース６に結合される下ケース７とを有している。本体２条にはキーボード５は実装されている。
【０００９】
図２は、第１の実施の形態に係る筐体角部の斜視図である。図３は、第１の実施の形態に係る筐体角部の断面図である。
【００１０】
下ケース７は、底壁（壁部）７ｃ、この底壁７ｃに連なる第１および第２の側壁７ａ，７ｂを有しており、これらにより電子機器１の角部を形成している。底壁７ｃにはボス（第１の突出部）１０が一体形成されている。本体２内部には図示しない回路基板が内蔵され、ボス１０にねじ固定される。
【００１１】
第１および第２の側壁７ａ，７ｂからは第２の突出部２０，２１が突出している。第２突出部２０，２１は第１および第２の側壁と一体形成されている。この第２の突出部２０，２１は底壁７ｃから離間しており、ボス１０と第１および第２の側壁との間に梁状に設けられている。
【００１２】
この構成において、たとえば電子機器１を携帯中、誤って落としたとき、落下場所には通常電子機器の角部から落下する。このとき、落下し、床面等に衝突したときの力は、第１、第２の側壁７ａ，７ｂから第２の突出部２０，２１へ伝わる。第２の突出部２０，２１は、ボス１０とも一体形成されているため、第２の突出部２０，２１へ伝達した力はボス１０へ伝わる。ボス１０からの反作用により第２の突出部２０，２１へさらに力が加わる。このとき第２の突出部２０，２１は底壁７ｃとは離間しているため強度的に弱い。したがって、第２の突出部２０，２１は一端が折れたり、途中より折れ曲がったりする。
【００１３】
このような構成により、電子機器１が故障した際に修理センター等に持ち込まれた際、電子機器１を分解し、第２の突出部２０，２１が破損していれば、落下したことを把握することができ、適切なメンテナンス修理をすることができる。
【００１４】
図４は、第２の実施の形態に係る筐体角部の斜視図である。図５は、第２の実施の形態に係る筐体角部の断面図である。第２の実施の形態は第１の実施の形態に比べて第２の突出部３０，３１が異なる。具体的には第２の突出部３０，３１が第２、第３の側壁７ａ，７ｂより突出し、その先端はボス１０とは離間している点で異なる。つまり、落下した際、第２の突出部３０，３１はボス１０に当たり、折れ曲がることはなくても先端が潰れたり、ボス１０の側面に当たった痕が残るため、メンテナンス修理を行う際、電子機器１が落下したことを把握することができる。
【００１５】
図６は、第３の実施の形態に係る筐体角部の斜視図である。第３の実施の形態は、第１の実施の形態とは第２の突出部４０，４１の側面に凹溝４０ａ，４１ａを設ける点で異なる。このような構成により第１の実施の形態に比べて
第２の突出部４０，４１はより折れ曲がりやすくなるため、メンテナンス修理の際より第２の突出部の変形（折れ、曲がり、変形等）を把握することができ、適切なメンテナンス修理を行うことが可能である。
【００１６】
図７は、第４の実施の形態に係る筐体角部の断面図である。第４の実施の形態は、第３の実施の意形態と同様に第１の実施の意形態に比べてより第２の突出部５０，５１の折れ曲がりを助長する構成としたものである。具体的には第２の突出部５０，５１にスリット５０ａ，５１ａを設けている。こうすることで第２の突出部５０，５１はより折れ曲がりやすくなり、第３の実施の形態と同様な効果を有する。
【００１７】
本発明ではその主旨を逸脱しない範囲であれば、上記の実施形態に限定されるものではない。そして、携帯電話、デジタルカメラ、ＰＤＡ等のユーザが携帯可能な他の電子機器に広く適用できるものである。
【図面の簡単な説明】
【００１８】
【図１】電子機器の斜視図。
【図２】第１の実施の形態に係る筐体角部の斜視図。
【図３】第１の実施の形態に係る筐体角部の断面図。
【図４】第２の実施の形態に係る筐体角部の斜視図。
【図５】第２の実施の形態に係る筐体角部の断面図。
【図６】第３の実施の形態に係る筐体角部の斜視図。
【図７】第４の実施の形態に係る筐体角部の断面図。
【符号の説明】
【００１９】
１…ノート型コンピュータ（以下電子機器）、２…本体、３…ヒンジ部、４…表示部、５…キーボード、６…上ケース、７…下ケース、７ａ，７ｂ…
側壁、７ｃ…底壁、２０，２１，３０，３１，４０，４１，５０，５１…第２の突出部、４０ａ，４１ａ…凹溝、５０ａ，５１ａ…スリット
【図１】
2006163964.tif 000003
【図２】
2006163964.tif 000004
【図３】
2006163964.tif 000005
【図４】
2006163964.tif 000006
【図５】
2006163964.tif 000007
【図６】
2006163964.tif 000008
【図７】
2006163964.tif 000009